(57)【要約】【課題】軽量であり、且つメインカバー側への取付け強度が高いロータリ耕耘装置におけるリヤカバーを提供することを課題としている。【解決手段】耕耘用のロータリ４の上方を覆うメインカバー１４の後方に上下回動自在に設けられるリヤカバー１６を、硬質樹脂により形成した複数のカバー３８，３９を分解可能に接合して構成し、リヤカバー１６が、メインカバー１６側に回動自在に連結される金属製の連結部３２を備え、連結部３２に各カバー３８，３９が固定される。【選択図】          図４
2004229576.tif 000002
【特許請求の範囲】
【請求項１】
耕耘用のロータリ（４）の上方にメインカバー（１４）を設け、前記メインカバー（１４）の後方に上下回動自在にリヤカバー（１６）を設け、該リヤカバー（１６）を複数のカバー（３８），（３９）を分解可能に接合して構成し、各カバー（３８），（３９）を硬質樹脂により形成したロータリ耕耘装置において、上記リヤカバー（１６）が、メインカバー（１６）側に回動自在に連結される連結部（３２）を備えるとともに、該連結部（３２）に各カバー（３８），（３９）が固定されて構成され、上記連結部が金属により形成されるロータリ耕耘装置におけるリヤカバー。
【請求項２】
各カバー（３８），（３９）に補強用のリブ（４１）を設け、該リブ（４１）側に、リヤカバー（１６）側に取り付ける作業機等の取付部を設けた請求項１のロータリ耕耘装置におけるリヤカバー。
【請求項３】
各カバー（３８），（３９）に補強用のリブ（４１）を設け、該リブ（４１）側に、リヤカバー（１６）の下降位置を規制する吊りロッド（４４）を軸支した請求項１又は２のロータリ耕耘装置におけるリヤカバー。
【発明の詳細な説明】
【０００１】
【発明の属する技術分野】
この発明は、ロータリ耕耘装置におけるリヤカバーに関する。
【０００２】
【従来の技術】
従来中央及び左右に３分割され、プラスチック材で成形されたロータリ耕耘装置のリヤカバーが知られている（例えば特許文献１参照）。
【０００３】
【特許文献１】
特開平１０−１４３０５号公報（第２頁、段落番号「０００９」）
【０００４】
【発明が解決しようとする課題】
しかし上記リヤカバーは、メインカバーへの取り付け部分がパイプ状の枢支部からなり、プラスチック材で成形されているため、前記枢支部の強度を維持するための設計が容易ではないという欠点があった。
【０００５】
【課題を解決するための手段】
上記課題を解決するための本発明のロータリ耕耘装置におけるリヤカバーは、耕耘用のロータリ４の上方にメインカバー１４を設け、前記メインカバー１４の後方に上下回動自在にリヤカバー１６を設け、該リヤカバー１６を複数のカバー３８，３９を分解可能に接合して構成し、各カバー３８，３９を硬質樹脂により形成したロータリ耕耘装置において、上記リヤカバー１６が、メインカバー１６側に回動自在に連結される連結部３２を備えるとともに、該連結部３２に各カバー３８，３９が固定されて構成され、上記連結部が金属により形成されることを第１の特徴としている。
【０００６】
また各カバー３８，３９に補強用のリブ４１を設け、該リブ４１側に、リヤカバー１６側に取り付ける作業機等の取付部を設けたことを第２の特徴としている。
【０００７】
そして各カバー３８，３９に補強用のリブ４１を設け、該リブ４１側に、リヤカバー１６の下降位置を規制する吊りロッド４４を軸支したことを第３の特徴としている。
【０００８】
【発明の実施の形態】
次に本発明の１実施形態を図面に基づいて説明する。図１，図２は本発明のリヤカバーを採用したロータリ耕耘装置１の側面部分断面図及び平面図であり、トラクタ等の走行車両２の後方に３点リンクヒッチ３を介して昇降自在に連結され、上記走行車両２の走行に伴いロータリ４によって圃場の耕耘作業を行う。
【０００９】
上記ロータリ耕耘装置１は、走行車両２側よりＰＴＯ動力が入力されるギヤケース６からパイプフレーム７が左右に突出しており、該パイプフレーム７の一方（左）の外端部にチェーンケース８が、他方（右）の外端部にサイドフレーム９がそれぞれ一体的に設けられている。
【００１０】
そして上記サイドフレーム９とチェーンケース８の下部間には、複数の耕耘爪１１が取り付けられた爪軸１２が、チェーンケース８を介してギヤケース６より入力される駆動力によって回転駆動されるように軸支されており、この耕耘爪１１や爪軸１２等によって前述のロータリ４が構成されている。そして爪軸１２の回転駆動によってロータリ４（耕耘爪１１）が回転し、圃場の耕耘作業を行う。
【００１１】
このとき上記ロータリ４は、側面視で耕耘爪１１の先端の回転軌跡に沿った円弧状をなすメインカバー１４によって上方側が、またメインカバー１４の後端側に、上下揺動自在に取り付けられたリヤカバー１６によって後方側がそれぞれ覆われており、メインカバー１４はロータリ４による耕耘土を前方に持ち回り、耕耘時の砕土性を向上させ、リヤカバー１６は、耕耘土に押接して耕耘面の均平を行う。
【００１２】
一方上記ギヤケース６の上方部分にはトップマスト１７が取り付けられており、該トップマスト１７の前方上端側には、走行車両２側の３点リンクヒッチ３側に連結される連結部１８が設けられている。すなわち本ロータリ耕耘装置１は、上記連結部１８を介して走行車両２に連結される。
【００１３】
またトップマスト１７の後方上端側には、ハンドル１９の回転により伸縮せしめられる伸縮ロッド２０が取り付けられており、該伸縮ロッド２０の伸縮端に、アーム２１を介してギヤケース６側に上下揺動自在に支持されたツールバー２２が連結されている。  これによりハンドル１９の回転によってツールバー２２が上下揺動せしめられ、ツールバー２２の高さ及び前後位置が調節され、ツールバー２２に取り付けられる作業機に応じて、ツールバー２２の位置を調節することができる。
【００１４】
上記メインカバー１４は、円弧状の天板２３を母体としており、該天板２３は、上面の後端部に左右方向の２つの補強プレート２４，２６が、下面の後端部及び前端部に、高分子樹脂で成形した土付着防止板２７を取り付けるための取付けプレート２８，２９が設けられた構造となっている。そして上記天板１４の左右両端に設けられた側板の下端部分が、チェーンケース８又はサイドフレーム９側の爪軸１３の軸受部側に前後回動自在に支持されている。
【００１５】
また上記メインカバー１４は、トップマスト１７側に前後揺動自在に設けられたレバー３１にリンクアーム３０を介して連結されており、これによりレバーの３１前後揺動操作によって、メインカバー１４及びリヤカバー１６を爪軸１２周りに前後回動させ、両カバー１４，１６を耕耘深さに応じた位置に位置調節することができる。
【００１６】
一方図３，図４に示されるように、上記リヤカバー１６は、メインカバー１４側との連結部である前方側のブラケット３２と、該ブラケット３２に固定されるカバー部３３とから構成されており、上記ブラケット３２は、メインカバー１４への取付部である左右方向の軸３４と、カバー部３３の取付部である角パイプ３６とから構成されている。
【００１７】
そしてカバー部３３は、上記角パイプ３６にボルトを介して一体的に固定され、ブラケット３２の後方側に取り付けられており、ブラケット３２の軸３４を図２に示されるように、メインカバー１４側のパイプ２５に回動自在に挿入することによって、リヤカバー１６がメインカバー１４の後端側に回動自在に軸支される。
【００１８】
このとき上記カバー部３３は、図４に示されるように、畦立器等の作業機の装着用の切欠き部３７を設けた中央カバー３８と、該中央カバー３８の左右両側に設けられる側方カバー３９とからなり、各カバーは３８，３９は硬質樹脂によって形成されている。そして各カバー３８，３９の上面側には、上方に向かって突出する前後方向の補強リブ４１が、左右に複数設けられており、各カバー３８，３９の強度を維持している。
【００１９】
そして両側方カバー３９の内端部（中央カバー３８側の端部）の補強リブ４１ｉと、中央カバー３８の左右両端部の補強リブ４１ｏとが、図２，図３，図５に示されるように、ボルト・ナットにより一体的に固定されてカバー部３３を構成している。
【００２０】
これにより上記のように各カバー３８，３９によってカバー部３３を構成すると、側方カバー３９の補強リブ４１ｉと中央カバー３８の左右両端の補強リブ４１ｏとが一体となり補強リブ４１Ｍをなし、ボルト・ナットを除いてカバー部のほぼ全体が硬質樹脂から構成される。
【００２１】
そしてリヤカバー１６の吊支用のブラケット４２を構成する２つのプレート４２ａが、上記のように補強リブ４１ｉと補強リブ４１ｏとが一体となった補強リブ４１Ｍの左右両側に固定され、すなわち上記ブラケット４２が、リブ４１Ｍを左右から挟持するようにリブ４１Ｍに取り付けられてリヤカバー１６側に設けられている。
【００２２】
また前述のメインカバー１４側には、補強プレート２４にリヤカバー１６の吊支用のブラケット４３が設けられており、メインカバー１４のブラケット４３とリヤカバー１６のブラケット４２との間に吊りロッド４４が軸支して設けられている。これにより前述のようにメインカバー１４に上下回動自在に軸支されたリヤカバー１６は、吊りロッド４４によって下降位置が規制された状態又は吊りロッド４４に外嵌された加圧スプリングによって圃場面（耕耘面）側に加圧付勢された状態でメインカバー１４に吊支されている。
【００２３】
一方上記中央カバー３８の切欠き部３７には、着脱自在なリッドカバー４６が装着されており、畦立器等の作業機を装着する場合は、上記リッドカバー４６を取り外して畦立器等を取り付けるように構成されている。また左右の側方カバー３９の後方外側にも切欠き部４７が設けられており、該切欠き部４７にも着脱自在なサイドリッドカバー４８が装着されている。
【００２４】
上記リッドカバー４６には、後端側の左右両側に外側方に突出する固定ピン４９が設けられており、また前方に突出して前後方向のリブ５１が左右に設けられ、左右のリブ５１の先端側に、左右スライド自在に外側方に突出する可動ピン５２が設けられている。
【００２５】
このとき可動ピン５２はスプリング５３によって外側方に付勢されているとともに、該可動ピン５２には、上方に突出するハンドル５４が突出されており、該ハンドル５４によって、可動ピン５２の端部が、リブ５１の外端面から突出しないように、上記スプリング５３の付勢力に抗して可動ピン５２をスライドさせることができる。
【００２６】
また中央カバー３８には、左右両端の補強リブ４１ｏ間に、４つの補強リブ４１ｂ，４１ｃが設けられており、図４，図６に示されるように、この４つの補強リブ４１ｂ，４１ｃのうち内側２つの補強リブ４１ｃに、可動ピン５２の挿入用の孔５６が、外側２つの補強リブ４１ｂに、固定ピン４９の挿入用の前方側が開いた凹部５７が設けられている。
【００２７】
そして固定ピン４９を凹部５７に前方側から挿入し、可動ピン５２をリブ５１から突出しない状態にして、リッドカバー４６の先端側を、リッドカバー４６のリブ５１を補強リブ４１ｃ間に上方から挿入し、可動ピン５２をリブ５１から突出させて補強リブ４１ｃの孔５６に挿入することによって、リッドカバー４６を中央カバー３８に容易にワンタッチで取り付けることができる。
【００２８】
またリッドカバー４６の中央カバー３８からの取り外しは、可動ピン５２をリブ５３から突出しない状態に切換えて上記補強リブ４１ｃの孔５６から脱抜し、先端側を上方に持ち上げ、リッドカバー４６のリブ５１を補強リブ４１ｃ間から抜き、固定ピン４９を凹部５７から外すことにより容易にワンタッチで行うことができる。
【００２９】
一方前述のサイドリッドカバー４８は、内側の周縁の前後に外側方に突出する固定ピン５８が設けられており、また前方に突出して前後方向のリブ５９が設けられ、該リブ５９の先端側に、左右スライド自在に外側方に突出する可動ピン６１が設けられている。
【００３０】
そして可動ピン６１はスプリング６２によって外側方に付勢されているとともに、該可動ピン６１には、上方に突出するハンドル６３が突出されており、該ハンドル６３によって、可動ピン６１の端部が、リブ５９の外端面から突出しないように、上記スプリング６２の付勢力に抗して可動ピン６１をスライドさせることができる。
【００３１】
また側方カバー３３には、内端側の補強リブ４１ｉの他に、外端側にも前後方向の補強リブ（外補強リブ）４１ｄが設けられており、さらに両補強リブ４１ｉ，４１ｄ間に、もう１つ前後方向の補強リブ（中央補強リブ）４１ｅが設けられている。
【００３２】
そして図４，図７に示されるように、外補強リブ４１ｄに、可動ピン６１の挿入用の孔６５が、中央補強リブ４１ｅに、固定ピンの挿入用の上方側又は前方側が開いた凹部６４が設けられている。
【００３３】
そしてサイドリッドカバー４８の後方側の固定ピン５８を後方側の凹部６４に前方側から挿入し、サイドリッドカバー４８の先端側を、サイドリッドカバー４８のリブ５９を外補強リブ４１ｅの内側に上方から挿入し、前方側の固定ピン５８を前方側の凹部６４に上方側から挿入するとともに、可動ピン６１をリブ５９から突出させて外補強リブ４１ｅの孔６５に挿入することによって、サイドリッドカバー４８を側方カバー３９に容易にワンタッチで取り付けることができる。
【００３４】
またサイドリッドカバー４８の側方カバー３９からの取り外しは、可動ピン６１をリブ５９から突出しない状態に切換えて上記孔６５から脱抜し、サイドリッドカバー４８の先端側を上方に持ち上げるとともに、前方側に移動させ、固定ピン５８を凹部６４から外すことにより容易にワンタッチで行うことができる。
【００３５】
以上のようにリッドカバー４６を取り外すことによって、リヤカバー１６のセンタに畦立器等の作業機を設けるスペースが、サイドリッドカバー４８を取り外すことによって、リヤカバー１６の側方に尾輪や溝堀機等の作業機を設けるスペースがワンタッチで設けられ、上記作業機等を容易に取り付けることが可能となる。
【００３６】
このとき尾輪や畦立器，溝堀機等の作業機のリヤカバー１６への取り付け構造を、リッドカバー４６やサイドリッドカバー４８と同じように、リブ４１を使用するものとすることにより、上記作業機等をリヤカバー１６に安定して取り付けることができる。
【００３７】
なおリッドカバー４６及びサイドリッドカバー４８も上記のようにリブ４１を使用した取り付け構造であり、両カバー４６，４８ともに、リヤカバー１６側に安定して取り付けることができる。そして上記作業機等のリヤカバー１６への取り付け構造として、リッドカバー４６やサイドリッドカバー４８のカバー部３３側への取り付け構造と全く同じ構造を採用することも可能である。
【００３８】
上記構成によりリヤカバー１６は、カバー部３３が硬質樹脂製であり、軽量化されており、リヤカバー１６による耕耘面の押さえ力が減少し、押さえ過ぎによる耕耘面表面のササクレ等が防止される他、リヤカバー１６の均し部分（カバー部３３）が樹脂から構成されるため、均し面が金属製に比較して円滑であり、土の付着が少なくなり、耕耘面の均平度が向上する。
【００３９】
またカバー部３３が複数のカバー３８，３９から構成されているため、ロータリ耕耘装置のサイズに応じて側方カバー３９を複数用意することによって、中央カバー３８を各機種において共通に使用し、側方カバー３９の変更のみでロータリ耕耘装置の各サイズに対応することができる。
【００４０】
これによりロータリ耕耘装置の機種（サイズ）に応じて、カバー部３３全体を製造する必要がなく、各機種に応じた側方カバー３９を製造するのみでよく、カバー部３３全体を製造するための大きな型が不要となり、比較的（カバー部３３全体に比較して）小さな側方カバー３９を製造するための型で済むため、型の格納スペースや交換用のカバー部（側方カバー３９）の格納スペース等が小さくて済む。
【００４１】
一方各カバー３８，３９は補強リブ４１を介して連結されるため、連結構造が簡単であるとともに、連結部分に必ず補強リブ４１が位置することとなり、これにより完成したカバー部３３の強度が各補強リブ４１により高く保たれ、樹脂製ではあるが容易に変形することはない。
【００４２】
また吊りロッド４４が、補強リブ４１に取り付けられたブラケット４２を介してリヤカバー１６側に軸支されるため、リヤカバー１６側において吊りロッド４４の取り付け部分の強度不足もなく、リヤカバー１６の吊支が安定して行われる。さらにメインカバー１４との連結部分は金属製のブラケット３２（軸３４）であるため、メインカバー１４への取り付け部分の強度不足もなく、以上によりリヤカバー１６はメインカバー１４側に安定支持される。
【００４３】
【発明の効果】
以上のように構成される本発明の構造によると、リヤカバーが金属製の連結部と、硬質樹脂製のカバーとから構成され、上記連結部を介してメインカバー側に支持されるため、リヤカバーのメインカバーへの取り付け部分の強度不足もなく、リヤカバーはメインカバー側に安定支持されるという効果がある。
【００４４】
そしてリヤカバーが上記のように樹脂製であり、且つ樹脂により軽量化されることにより、リヤカバーによる耕耘面の押さえ力が減少し、押さえ過ぎによる耕耘面表面のササクレ等が防止される他、均し面が金属製に比較して円滑であり、土の付着が少なくなり、耕耘面の均平度が向上するという効果もある。
【００４５】
また各カバーに補強用のリブを設け、該リブ側に、リヤカバー側に取り付ける作業機等の取付部を設けることにより、作業機等をリヤカバー側に安定して取り付けることができ、さらに上記リブに、リヤカバーの下降位置を規制する吊りロッドを軸支することにより、リヤカバー側において吊りロッドの取り付け部分の強度不足がなく、メインカバー又は機体フレームにリヤカバーが安定して吊支されるという効果もある。
【図面の簡単な説明】
【図１】ロータリ耕耘装置の側面部分断面図である。
【図２】ロータリ耕耘装置の平面図である。
【図３】組み立て状態のリヤカバーの平面図である。
【図４】分解状態のリヤカバーの平面図である。
【図５】図３におけるＡ−Ａ断面図である。
【図６】図３におけるＢ−Ｂ断面図である。
【図７】図３におけるＣ矢視図である。
【符号の説明】
４      ロータリ
１４    メインカバー
１６    リヤカバー
３２    ブラケット（連結部）
３８    中央カバー（カバー）
３９    側方カバー（カバー）
４１    補強リブ（リブ）
４４    吊りロッド
【図１】
2004229576.tif 000003
【図２】
2004229576.tif 000004
【図３】
2004229576.tif 000005
【図４】
2004229576.tif 000006
【図５】
2004229576.tif 000007
【図６】
2004229576.tif 000008
【図７】
2004229576.tif 000009